(57)【要約】【課題】簡単な構成により、感光体周速の変動、速度ムラをなくし良好な画像が得られる作像部駆動伝達装置を提供する。【解決手段】感光体及びその周辺の電子写真プロセスユニットからなる作像部に駆動モータ１からの駆動力を伝達する作像部駆動伝達装置において、駆動モータ１の出力軸１１上に、感光体駆動を行なう感光体駆動伝達手段１２と、感光体周辺のユニットの駆動を行なう感光体周辺部駆動伝達手段１３とを独立して設け、かつ両者を嵌合した。【選択図】        図２
2004271543.tif 000002
【特許請求の範囲】
【請求項１】
感光体及びその周辺の電子写真プロセスユニットからなる作像部に駆動モータからの駆動力を伝達する作像部駆動伝達装置において、駆動モータの出力軸上に、感光体駆動を行なう感光体駆動伝達手段と、感光体周辺のユニットの駆動を行なう感光体周辺部駆動伝達手段とを独立して設け、かつ両者を嵌合したことを特徴とする作像部駆動伝達装置。
【請求項２】
感光体駆動伝達手段は出力軸に対して固定され、感光体駆動伝達手段と感光体周辺部駆動伝達手段の嵌合部分に微小な隙間を有すると共に、感光体駆動伝達手段を金属材料、感光体周辺部駆動伝達手段を樹脂材料により形成したことを特徴とする作像部駆動伝達装置。
【請求項３】
請求項２記載の作像部駆動伝達装置において、感光体周辺部駆動伝達手段にあって、感光体駆動伝達手段との嵌合部分に、所定の応力が加わった場合に弾性変形が発生する突出部を形成したことを特徴とする作像部駆動伝達装置。
【請求項４】
請求項３記載の作像部駆動伝達装置において、両駆動伝達手段の嵌合部における面接触部分に、両者の軸平行方向の位置関係を固定するための凸部及び凹部を設けたことを特徴とする作像部駆動伝達装置。
【発明の詳細な説明】
【０００１】
【発明の属する技術分野】
本発明は、画像形成装置において、感光体及びその周辺の電子写真プロセスユニットからなる作像部に駆動モータからの駆動力を伝達する作像部駆動伝達装置に関する。
【０００２】
【従来の技術】
電子写真方式を用いた複写機、プリンタ等の画像形成装置において、感光体駆動を行なう場合、感光体以外の被駆動部分で発生する負荷変動、振動等が感光体駆動系へ伝達すると感光体周速の変動、速度ムラが発生し、これが画像へ悪影響を及ぼす場合があるため、これらの外部からのノイズの影響を極力避ける必要がある。
【０００３】
このため、感光体駆動軸上にフライホイールを設ける、感光体にブレーキを付加する等の機械的な対策、感光体速度変動を検知し、これをフィードバックして速度制御を行なう電気的な対策が実施されている。
【０００４】
また、類似の技術として、モータが定速回転して感光体の速度むらをなくし、ジターを発生することのない電子写真装置を提供する特許文献１の「電子写真装置」が知られている。
【０００５】
【特許文献１】
特開平６−１９２３４号公報
【０００６】
【発明が解決しようとする課題】
しかしながら、上記いずれの対策の場合も、装置の大型化や機構の複雑化を伴うことは避けられない。
【０００７】
本発明は、簡単な構成により、感光体周速の変動、速度ムラをなくし良好な画像が得られる作像部駆動伝達装置を提供することを目的とする。
【０００８】
【課題を解決するための手段】
上記目的を達成するために、請求項１記載の発明は、感光体及びその周辺の電子写真プロセスユニットからなる作像部に駆動モータからの駆動力を伝達する作像部駆動伝達装置において、駆動モータの出力軸上に、感光体駆動を行なう感光体駆動伝達手段と、感光体周辺のユニットの駆動を行なう感光体周辺部駆動伝達手段とを独立して設け、かつ両者を嵌合した作像部駆動伝達装置を最も主要な特徴とする。
【０００９】
請求項２記載の発明は、感光体駆動伝達手段は出力軸に対して固定され、感光体駆動伝達手段と感光体周辺部駆動伝達手段の嵌合部分に微小な隙間を有すると共に、感光体駆動伝達手段を金属材料、感光体周辺部駆動伝達手段を樹脂材料により形成した作像部駆動伝達装置を主要な特徴とする。
【００１０】
請求項３記載の発明は、請求項２記載の作像部駆動伝達装置において、感光体周辺部駆動伝達手段にあって、感光体駆動伝達手段との嵌合部分に、所定の応力が加わった場合に弾性変形が発生する突出部を形成した作像部駆動伝達装置を主要な特徴とする。
【００１１】
請求項４記載の発明は、請求項３記載の作像部駆動伝達装置において、両駆動伝達手段の嵌合部における面接触部分に、両者の軸平行方向の位置関係を固定するための凸部及び凹部を設けた作像部駆動伝達装置を主要な特徴とする。
【００１２】
【発明の実施の形態】
以下、本発明の実施の形態入を図面に従って説明する。
本実施形態は感光体及びその周辺部への駆動伝達を、タイミングベルトにより行なうものである。図１は本発明の実施の形態に係る作像部駆動伝達装置の外観斜視図である。
【００１３】
図において駆動モータ１の出力軸上にはタイミングプーリ２が取付けられている。感光体ドラム軸３の端部に感光体ドラムプーリ４が取付けられている。駆動モータ１と感光体ドラム軸３とは感光体駆動タイミングベルト５により駆動連結されている。感光体周辺部駆動タイミングベルト６は、転写ベルト駆動軸７、クリーニングユニット駆動軸８等への駆動伝達を行なうものである。転写ベルト駆動軸７、クリーニングユニット駆動軸８はそれぞれ図示しないユニットに連結されている。このように、感光体への駆動伝達ループとその他のユニットへの駆動伝達ループとは別個に構成されている。
【００１４】
図２は本発明の駆動モータの出力軸へのプーリの取付け構造の第１の例を示す正面断面図、図３はその側面断面図である。駆動モータ１の出力軸に嵌合されるタイミングプーリ２は、感光体駆動プーリ１２と感光体周辺部駆動プーリ１３とから構成されている。
【００１５】
感光体駆動プーリ１２と感光体周辺部駆動プーリ１３とは別体である。感光体駆動プーリ１２は金属材料により形成され、駆動モータ１の出力軸１１に対して止めネジ１４により固定されている。感光体周辺部駆動プーリ１３は感光体駆動プーリ１２と嵌合して出力軸１１に対し取付けられる構成である。嵌合部は図３に示す如くＤ型形状となっている。感光体駆動プーリ１２と感光体周辺部駆動プーリ１３との嵌合部分はスキマバメとする。すなわち両者の間には微小な空間が存在している。また、感光体周辺部駆動プーリ１３は樹脂材料により形成されている。
【００１６】
このような構成にしたので、感光体周辺部駆動プーリ１３により駆動伝達が行なわれる被駆動部において負荷変動、振動が発生した場合に、嵌合部において両者の材質の硬度差により感光体周辺部駆動プーリ１３のみに変形が発生し、感光体駆動プーリ１２への振動伝達が緩和される。また、嵌合部に若干のガタがあるため、感光体周辺部駆動プーリ１３からの振動が感光体駆動プーリ１２へダイレクトに伝達されるのをガタの部分で緩和することができる。
【００１７】
図４は本発明の駆動モータの出力軸へのプーリの取付け構造の第２の例を示す側面断面図である。図において、嵌合部は図３と同様にＤ型形状を有し、さらに感光体周辺部駆動プーリ１３のＤ型平面部分には突出部１３−１が設けられている。
【００１８】
この構成により、感光体周辺部駆動プーリ１３に対して負荷トルクを付与した場合は突出部１３−１に変形が生じることになる。この変形量は負荷の大きさにより変化するため、感光体周辺部駆動プーリ１３の被駆動部に急激な負荷変動が生じた場合には、この部分がダンパとして機能し、感光体駆動プーリ１２への振動伝達が遮断される。
【００１９】
図５は本発明の駆動モータの出力軸へのプーリの取付け構造の第３の例を示す正面断面図、図６はその側面断面図である。図において、図４と同様に感光体周辺部駆動プーリ１３に設けられた突出部１３−１にはさらに半球状の凸部１３−２を設けている。同時に感光体駆動プーリ１２の平面部分には凹部１２−１を設け、これらが嵌合する構成としている。
【００２０】
この構成により、突出部１３−１のバネ性を利用して感光体周辺部駆動プーリ１３の感光体駆動プーリ１２に対する軸方向位置を固定することができる。また、感光体駆動プーリ１２を出力軸１１に対して圧入等により予め固定した状態でも、別の締結部材を用いることなく感光体周辺部駆動プーリ１３の脱着を行なうことができる。
【００２１】
【発明の効果】
請求項１、２記載の発明によれば、感光体及びその周辺の電子写真プロセスユニットからなる作像部に駆動モータからの駆動力を伝達する作像部駆動伝達装置において、駆動モータの出力軸上に、感光体駆動を行なう感光体駆動伝達手段と、感光体周辺のユニットの駆動を行なう感光体周辺部駆動伝達手段とを独立して設け、かつ両者を嵌合する。そして感光体駆動伝達手段は出力軸に対して固定され、感光体駆動伝達手段と感光体周辺部駆動伝達手段の嵌合部分に微小な隙間を有すると共に、感光体駆動伝達手段を金属材料、感光体周辺部駆動伝達手段を樹脂材料により形成したことにより、感光体以外の被駆動部で負荷変動、振動が生じた場合に両者の嵌合部において、材質の硬度差を利用した振動吸収効果を持たせることができる。また、嵌合部の遊びによっても振動伝達が緩和される。このことにより、感光体駆動部分において振動、速度ムラに起因する画像ムラの発生を防止し、良好な画像を得ることができる。
【００２２】
請求項３記載の発明によれば、感光体周辺部駆動伝達手段にあって、感光体駆動伝達手段との嵌合部分に、所定の応力が加わった場合に弾性変形が発生する突出部を形成したことにより、上記の振動吸収効果をより大きなものとすることができる。
【００２３】
請求項４記載の発明によれば、両駆動伝達手段の嵌合部における面接触部分に、両者の軸平行方向の位置関係を固定するための凸部及び凹部を設けたことにより、上記と同様の効果を得ると共に部品構成の簡略化を図ることができる。さらに、感光体駆動伝達手段を駆動モータ出力時と一体に形成する、または圧入等により精度の高い連結にすることがが可能となるため、より高精度の駆動伝達が可能となる。
【図面の簡単な説明】
【図１】本発明の実施の形態に係る作像部駆動伝達装置の外観斜視図である。
【図２】本発明の駆動モータの出力軸へのプーリの取付け構造の第１の例を示す正面断面図である。
【図３】その側面断面図である。
【図４】本発明の駆動モータの出力軸へのプーリの取付け構造の第２の例を示す側面断面図である。
【図５】本発明の駆動モータの出力軸へのプーリの取付け構造の第３の例を示す正面断面図である。
【図６】その側面断面図である。
【符号の説明】
１  駆動モータ
２  タイミングプーリ
５  感光体駆動タイミングベルト
６  感光体周辺部駆動タイミングベルト
１１  出力軸
１２  感光体駆動プーリ（感光体駆動伝達手段）
１２−１  凹部
１３  感光体周辺部駆動プーリ（感光体周辺部駆動伝達手段）
１３−１  突出部
１３−２  凸部
【図１】
2004271543.tif 000003
【図２】
2004271543.tif 000004
【図３】
2004271543.tif 000005
【図４】
2004271543.tif 000006
【図５】
2004271543.tif 000007
【図６】
2004271543.tif 000008